(57)【要約】【課題】外形が異なる２種類のカードを共用可能なカード用コネクタを提供する。【解決手段】コネクタ１０は、ベースフレーム１と第１カバー板２を備える。ベースフレーム１は、絶縁板３、複数のコンタクト４、及び一組の可動板５１・５２を備える。第１カバー板２は、ベースフレーム１の一方の面を開閉自在に、ベースフレーム１と連結している。外形の小さい第１カードＣ１を絶縁板３に載置すると、一組の可動板５１・５２で第１カードＣ１の配置が規制され、第１カードＣ１の接続端子とコンタクト４が位置合わせされる。そして、第１カバー板２を閉じると、第１カードＣ１をコンタクト４に接続できる。外形の大きい第２カードＣ２を第１カバー板２に収納して、第１カバー板２を閉じると、一組の可動板５１・５２に抗して、第２カードＣ２をコンタクト４に接続できる。【選択図】図１
2015207370.tif 000002
【特許請求の範囲】
【請求項１】
一方の面に接続端子を配列し、所定の外形を有する矩形の第１カードと、一方の面に前記接続端子を配列し、前記第１カードと板厚が同じであり、当該第１カードの外形より大きな外形を有する矩形の第２カードとが共用可能なカード用コネクタであって、
前記第１カード又は前記第２カードを導入可能に一方の面を開口した箱状のベースフレームと、
このベースフレームの一端部側と回転自在に連結し、前記ベースフレームの一方の面を開閉自在な第１カバー板であって、前記第２カードを他端部側から挿入して収納できる第１カバー板と、
前記ベースフレームの底部に配置され、少なくとも前記第１カードを載置自在な矩形の絶縁板と、
前記絶縁板に配置され、前記接続端子と電気接続する複数の片持ち状のコンタクトと、
前記絶縁板の両端部を囲うように当該絶縁板を間にして配置され、前記第１カードを前記絶縁板に載置すると、前記接続端子と前記コンタクトの位置関係を前記第１カードの外形から規定する略矩形の切り欠きを有すると共に、下降するように変位自在に前記ベースフレームの底部と連結した一組の可動板と、を備え、
前記第１カバー板は、
前記ベースフレームの底面と対向する第１主面部と、
この第１主面部の両翼が屈折して前記第２カードの両側面をスライド自在に案内する一対の第１側面部と、を有し、
これらの第１側面部には、互いに内側に屈折して、前記第２カードの両翼を当該第２カードの一方の面側から保持する一対の保持片を設けているカード用コネクタ。
【請求項２】
一方の面に接続端子を配列し、所定の外形を有する矩形の第１カードと、一方の面に前記接続端子を配列し、前記第１カードと板厚が同じであり、当該第１カードの外形より大きな外形を有する矩形の第２カードとが共用可能なカード用コネクタであって、
前記第１カード又は前記第２カードを導入可能に一方の面を開口した箱状のベースフレームと、
このベースフレームの一端部側と回転自在に連結し、前記ベースフレームの一方の面を開閉自在な第２カバー板と、
前記ベースフレームの底部に配置され、少なくとも前記第１カードを載置自在な矩形の絶縁板と、
前記絶縁板に配置され、前記接続端子と電気接続する複数の片持ち状のコンタクトと、
前記絶縁板の両端部を囲うように当該絶縁板を間にして配置され、前記第１カードを前記絶縁板に載置すると、前記接続端子と前記コンタクトの位置関係を前記第１カードの外形から規定する略矩形の切り欠きを有すると共に、下降するように変位自在に前記ベースフレームの底部と連結した一組の可動板と、を備え、
前記第２カバー板は、
前記ベースフレームの底面と対向する第２主面部と、
この第２主面部の両翼が屈折して前記第２カードの他方の面から当該第２カードの両側面に進入自在な一対の第２側面部と、を有し、
前記第２カードを前記ベースフレームに載置して前記第２カバー板を閉じた状態では、前記第２主面部は、一組の前記可動板に抗して、前記第２カードを複数の前記コンタクトに向けて押圧している、カード用コネクタ。
【請求項３】
前記ベースフレームは、
一方の端部の両翼に開口された一対の長穴と、
他方の端部の両翼に設けられ、鉤状に切り欠かれた一対の係止溝と、を有し、
一対の前記第１側面部は、
内部に突出するように一方の端部に対向配置され、前記長穴と回動自在及び移動自在に連結する一対の回動軸と、
他方の端部に設けられ、互いに外側に屈折して、一対の前記係止溝に係止可能な一対の係止片と、を有している、請求項１記載のカード用コネクタ。
【請求項４】
前記ベースフレームは、
一方の端部の両翼に開口された一対の長穴と、
他方の端部の両翼に設けられ、鉤状に切り欠かれた一対の係止溝と、を有し、
一対の前記第２側面部は、
内部に突出するように一方の端部に対向配置され、前記長穴と回動自在及び移動自在に連結する一対の回動軸と、
他方の端部に設けられ、互いに外側に屈折して、一対の前記係止溝に係止可能な一対の係止片と、を有している、請求項２記載のカード用コネクタ。
【請求項５】
前記ベースフレーム及び複数の前記コンタクトは、展開板が成形された導電性を有する金属板からなり、
この金属板の一部をモールドして前記絶縁板を成形すると共に、前記金属板の所定箇所を打ち抜き加工して、前記ベースフレームの底部から前記コンタクトを個別に分離している請求項１から４のいずれかに記載のカード用コネクタ。
【請求項６】
前記金属板の一部をモールドして一組の前記可動板を成形すると共に、一組の前記可動板が前記ベースフレームの底部から傾斜支持されるように、前記金属板の一部を折り曲げ加工している、請求項５記載のカード用コネクタ。
【発明の詳細な説明】
【技術分野】
【０００１】
本発明は、カード用コネクタに関する。特に、共通の接続端子を一方の面に配列し、板厚は同じであるが、外形が異なる２種類のカードを共用可能なカード用コネクタの構造に関する。
【背景技術】
【０００２】
例えば、携帯電話機などの電子機器には、情報管理用のＩＣカードと記録用のＩＣカードを搭載している。このような電子機器は、複数のＩＣカードを同時に、又は個別に接続可能なコネクタを実装している。前者の情報管理用のＩＣカードは例えば、ＳＩＭ（Ｓｕｂｓｃｒｉｂｅｒ  Ｉｄｅｎｔｉｆｙ  Ｍｏｄｕｌｅ：加入者識別モジュール）カードであり、後者の記録用のＩＣカードは例えば、ＳＤ（Ｓｅｃｕｒｅ  Ｄｉｇｉｔａｌ）カードである。
【０００３】
一方、携帯電話機などの小型化に伴って、世代を追って、ＳＩＭカードの外形が小さくなっている。例えば、２ＦＦ（２ｎｄ  Ｆｏｒｍ  Ｆａｃｔｏｒ）と呼ばれるｍｉｎｉＳＩＭカードに対して、３ＦＦ（３ｒｄ  Ｆｏｒｍ  Ｆａｃｔｏｒ）と呼ばれるｍｉｃｒｏＳＩＭカードは、外形が一回り小さくなっている。なお、ｍｉｎｉＳＩＭカードとｍｉｃｒｏＳＩＭカードは、共通の接続端子を一方の面に配列し、板厚は同じである。
【０００４】
ｍｉｎｉＳＩＭカードとｍｉｃｒｏＳＩＭカードが混在している現状では、ｍｉｎｉＳＩＭカード用のコネクタにｍｉｃｒｏＳＩＭカードを接続したいという要請がある。このような要請に対して、通常は、ｍｉｎｉＳＩＭカードを接続できるが、外形がｍｉｎｉＳＩＭカードの外形と略同じな板状のアダプタにｍｉｃｒｏＳＩＭカードを搭載して、ｍｉｃｒｏＳＩＭカードを接続可能なカード用コネクタが開示されている（例えば、特許文献１参照）。
【０００５】
又、ｍｉｎｉＳＩＭカード用のコネクタにｍｉｃｒｏＳＩＭカードを接続したいという要請に対して、外形の小さいカードを搭載可能なアダプタを用いることなく、外形が異なる２種類のカードを共用可能なカード用コネクタが開示されている（例えば、特許文献２参照）。
【０００６】
特許文献２によるカード用コネクタは、外形の小さいカードが一端側から挿入されて載置可能な板状のハウジング、このハウジングを覆うと共に、外形の大きいカードを挿入可能なシェル、及び外形の小さいカードを挿入可能な切り欠きを有し、外形の大きいカードを挿入したときは、下降するように昇降自在に内部に保持された可動板で構成することで、外形が異なる２種類のカードを共用可能としている。
【先行技術文献】
【特許文献】
【０００７】
【特許文献１】特開２０１２−１０９１６５号公報
【特許文献２】特開２０１４−２９７８１号公報
【発明の概要】
【発明が解決しようとする課題】
【０００８】
特許文献１によるカード用コネクタは、共通の接続端子を一方の面に配列し、板厚は同じであるが、外形が異なる２種類のカードを共用できる。しかし、特許文献１によるカード用コネクタは、ｍｉｎｉＳＩＭカードを接続しているときには、ｍｉｃｒｏＳＩＭカード用のアダプタが不要であり、このアダプタを紛失してしまうという心配がある。
【０００９】
又、特許文献１によるカード用コネクタは、アダプタに設けた開口を介して、ｍｉｃｒｏＳＩＭカードの接続端子に片持ち状のコンタクトの接点が接触するように、構成しているので、アダプタを出し入れ（スライド）すると、アダプタの底面がコンタクトの接点を摺動するという問題がある。更に、アダプタがスライドすることで、コンタクトを必要以上に変形させる心配がある。
【００１０】
特許文献２によるカード用コネクタは、外形の小さいカードを搭載可能なアダプタを用いていないので、このアダプタを紛失する心配が無く、コンタクトを必要以上に変形させる心配も無くなる。
【００１１】
しかし、特許文献２によるカード用コネクタは、カードの端部を指先で把持してコネクタ本体に挿抜する、いわゆる、手差しタイプのカード用コネクタである。このような手差しタイプのカード用コネクタを携帯電話機の背面側に実装すると、背面カバー及びバッテリーを携帯電話機本体から取り外し、バッテリーを収容していた凹部側にカードを引き出すことになるので、カードの引き出し操作が容易でない、という問題がある。
【００１２】
外形の小さいカードを搭載可能なアダプタを用いることなく、共通の接続端子を一方の面に配列し、板厚は同じであるが、外形が異なる２種類のカードを共用可能であり、かつ、カードの引き出し操作が容易なカード用コネクタが求められている。そして、以上のことが本発明の課題といってよい。
【００１３】
本発明は、このような課題に鑑みてなされたものであり、外形の小さいカードを搭載可能なアダプタを用いることなく、外形が異なる２種類のカードを共用可能であり、これらのカードの引き出し操作が容易なカード用コネクタを提供することを目的とする。
【課題を解決するための手段】
【００１４】
本発明者らは、外殻を構成すると共に、外形の大きいカードを導入可能に一方の面を開口した箱状のベースフレーム、ベースフレームの一端部側と回転自在に連結し、ベースフレームの一方の面を開閉自在なカバー板、ベースフレームの底部に配置され、複数のコンタクトを有すると共に、外形の小さいカードを載置自在な絶縁板、及び、絶縁板の前後に配置され、外形の小さいカードの外形を規制する切り欠きを有すると共に、カバー板を閉じると外形の大きいカードに押されて、ベースフレームの底面に向かって移動自在な一対の可動板でカード用コネクタを構成することにより、これらの課題が解決可能なことを見出し、これに基づいて、以下のような新たなカード用コネクタを発明するに至った。
【００１５】
（１）  一方の面に接続端子を配列し、所定の外形を有する矩形の第１カードと、一方の面に前記接続端子を配列し、前記第１カードと板厚が同じであり、当該第１カードの外形より大きな外形を有する矩形の第２カードとが共用可能なカード用コネクタであって、前記第１カード又は前記第２カードを導入可能に一方の面を開口した箱状のベースフレームと、このベースフレームの一端部側と回転自在に連結し、前記ベースフレームの一方の面を開閉自在な第１カバー板であって、前記第２カードを他端部側から挿入して収納できる第１カバー板と、前記ベースフレームの底部に配置され、少なくとも前記第１カードを載置自在な矩形の絶縁板と、前記絶縁板に配置され、前記接続端子と電気接続する複数の片持ち状のコンタクトと、前記絶縁板の両端部を囲うように当該絶縁板を間にして配置され、前記第１カードを前記絶縁板に載置すると、前記接続端子と前記コンタクトの位置関係を前記第１カードの外形から規定する略矩形の切り欠きを有すると共に、下降するように変位自在に前記ベースフレームの底部と連結した一組の可動板と、を備え、前記第１カバー板は、前記ベースフレームの底面と対向する第１主面部と、この第１主面部の両翼が屈折して前記第２カードの両側面をスライド自在に案内する一対の第１側面部と、を有し、これらの第１側面部には、互いに内側に屈折して、前記第２カードの両翼を当該第２カードの一方の面側から保持する一対の保持片を設けているカード用コネクタ。
【００１６】
（１）の発明によるカード用コネクタは、矩形の第１カードと矩形の第２カードを共用できる。第１カードは、一方の面に接続端子を配列し、所定の外形を有している。第２カードは、一方の面に接続端子を配列し、第１カードと板厚が同じであり、第１カードの外形より大きな外形を有している。
【００１７】
（１）の発明によるカード用コネクタは、箱状のベースフレームと第１カバー板を備えている。ベースフレームは、第１カード又は第２カードを導入可能に一方の面を開口している。第１カバー板は、ベースフレームの一端部側と回転自在に連結し、ベースフレームの一方の面を開閉自在としている。又、第１カバー板は、第２カードを他端部側から挿入して収納できる。
【００１８】
又、（１）の発明によるカード用コネクタは、矩形の絶縁板、複数の片持ち状のコンタクト、及び一組の可動板を備えている。絶縁板は、ベースフレームの底部に配置されている。そして、絶縁板には、少なくとも第１カードを載置できる。コンタクトは、絶縁板に配置され、接続端子と電気接続できる。
【００１９】
一組の可動板は、下降するように変位自在にベースフレームの底部と連結している。一組の可動板は、絶縁板の両端部を囲うように、絶縁板を間にして配置されている。又、一組の可動板は、略矩形の切り欠きを有している。これらの切り欠きは、第１カードを絶縁板に載置すると、接続端子とコンタクトの位置関係を第１カードの外形から規定できる。
【００２０】
第１カバー板は、第１主面部と一対の第１側面部を有している。第１主面部は、ベースフレームの底面と対向できる。一対の第１側面部は、第１主面部の両翼が屈折している。そして、一対の第１側面部は、第２カードの両側面をスライド自在に案内できる。
【００２１】
これらの第１側面部には、一対の保持片を設けている。一対の保持片は、互いに内側に屈折して、第２カードの両翼を第２カードの一方の面側から保持できる。
【００２２】
（１）の発明によるカード用コネクタは、外形の小さい第１カードを一組の可動板の切り欠きに一致させて絶縁板に載置した後に、第１カバー板を閉じると、第１カードの一方の面に設けた接続端子がコンタクトに接触して、第１カードとカード用コネクタを電気接続できる。
【００２３】
一方、（１）の発明によるカード用コネクタは、外形の大きい第２カードを第１カバー板に収納した後に、第１カバー板を閉じると、一組の可動板が下降して、第２カードの一方の面に設けた接続端子がコンタクトに接触して、第２カードとカード用コネクタを電気接続できる。
【００２４】
（１）の発明によるカード用コネクタは、従来技術に用いたアダプタを使用することがないので、アダプタを紛失する心配が無くなる。又、（１）の発明によるカード用コネクタは、アダプタの底面がコンタクトの接点を摺動することなく、アダプタがスライドすることで、コンタクトを不要に変形させる心配が無くなる。更に、（１）の発明によるカード用コネクタは、いわゆる、開閉式のカード用コネクタであり、手差しタイプのカード用コネクタと比べて、カードの引き出し操作が容易である。
【００２５】
（２）  一方の面に接続端子を配列し、所定の外形を有する矩形の第１カードと、一方の面に前記接続端子を配列し、前記第１カードと板厚が同じであり、当該第１カードの外形より大きな外形を有する矩形の第２カードとが共用可能なカード用コネクタであって、前記第１カード又は前記第２カードを導入可能に一方の面を開口した箱状のベースフレームと、このベースフレームの一端部側と回転自在に連結し、前記ベースフレームの一方の面を開閉自在な第２カバー板と、前記ベースフレームの底部に配置され、少なくとも前記第１カードを載置自在な矩形の絶縁板と、前記絶縁板に配置され、前記接続端子と電気接続する複数の片持ち状のコンタクトと、前記絶縁板の両端部を囲うように当該絶縁板を間にして配置され、前記第１カードを前記絶縁板に載置すると、前記接続端子と前記コンタクトの位置関係を前記第１カードの外形から規定する略矩形の切り欠きを有すると共に、下降するように変位自在に前記ベースフレームの底部と連結した一組の可動板と、を備え、前記第２カバー板は、前記ベースフレームの底面と対向する第２主面部と、この第２主面部の両翼が屈折して前記第２カードの他方の面から当該第２カードの両側面に進入自在な一対の第２側面部と、を有し、前記第２カードを前記ベースフレームに載置して前記第２カバー板を閉じた状態では、前記第２主面部は、一組の前記可動板に抗して、前記第２カードを複数の前記コンタクトに向けて押圧している、カード用コネクタ。
【００２６】
（２）の発明によるカード用コネクタは、箱状のベースフレームと第２カバー板を備えている。ベースフレームは、第１カード又は第２カードを導入可能に一方の面を開口している。第２カバー板は、ベースフレームの一端部側と回転自在に連結し、ベースフレームの一方の面を開閉自在としている。
【００２７】
又、（２）の発明によるカード用コネクタは、矩形の絶縁板、複数の片持ち状のコンタクト、及び一組の可動板を備えている。絶縁板は、ベースフレームの底部に配置されている。そして、絶縁板には、少なくとも第１カードを載置できる。コンタクトは、絶縁板に配置され、接続端子と電気接続できる。
【００２８】
一組の可動板は、下降するように昇降自在にベースフレームの底部と連結している。一組の可動板は、絶縁板の両端部を囲うように、絶縁板を間にして配置されている。又、一組の可動板は、略矩形の切り欠きを有している。これらの切り欠きは、第１カードを絶縁板に載置すると、接続端子とコンタクトの位置関係を第１カードの外形から規定できる。
【００２９】
第２カバー板は、第２主面部と一対の第２側面部を有している。第２主面部は、ベースフレームの底面と対向できる。一対の第２側面部は、第２主面部の両翼が屈折している。そして、一対の第２側面部は、第２カードの他方の面から第２カードの両側面に進入できる。
【００３０】
そして、（２）の発明によるカード用コネクタは、第２カードをベースフレームに載置して第２カバー板を閉じた状態では、第２主面部は、一組の可動板に抗して、第２カードを複数のコンタクトに向けて押圧できる。
【００３１】
（２）の発明によるカード用コネクタは、外形の小さい第１カードを一組の可動板の切り欠きに一致させて絶縁板に載置した後に、第２カバー板を閉じると、第１カードの一方の面に設けた接続端子がコンタクトに接触して、第１カードとカード用コネクタを電気接続できる。
【００３２】
一方、（２）の発明によるカード用コネクタは、外形の大きい第２カードをベースフレームに載置した後に、第２カバー板を閉じると、一組の可動板が下降して、第２カードの一方の面に設けた接続端子がコンタクトに接触して、第２カードとカード用コネクタを電気接続できる。
【００３３】
（２）の発明によるカード用コネクタは、従来技術に用いたアダプタを使用することがないので、アダプタを紛失する心配が無くなる。又、（２）の発明によるカード用コネクタは、アダプタの底面がコンタクトの接点を摺動することなく、アダプタがスライドすることで、コンタクトを不要に変形させる心配が無くなる。更に、（２）の発明によるカード用コネクタは、いわゆる、開閉式のカード用コネクタであり、手差しタイプのカード用コネクタと比べて、カードの引き出し操作が容易である。
【００３４】
（３）  前記ベースフレームは、一方の端部の両翼に開口された一対の長穴と、他方の端部の両翼に設けられ、鉤状に切り欠かれた一対の係止溝と、を有し、一対の前記第１側面部は、内部に突出するように一方の端部に対向配置され、前記長穴と回動自在及び移動自在に連結する一対の回動軸と、他方の端部に設けられ、互いに外側に屈折して、一対の前記係止溝に係止可能な一対の係止片と、を有している、（１）記載のカード用コネクタ。
【００３５】
（４）  前記ベースフレームは、一方の端部の両翼に開口された一対の長穴と、他方の端部の両翼に設けられ、鉤状に切り欠かれた一対の係止溝と、を有し、一対の前記第２側面部は、内部に突出するように一方の端部に対向配置され、前記長穴と回動自在及び移動自在に連結する一対の回動軸と、他方の端部に設けられ、互いに外側に屈折して、一対の前記係止溝に係止可能な一対の係止片と、を有している、（２）記載のカード用コネクタ。
【００３６】
（５）  前記ベースフレーム及び複数の前記コンタクトは、展開板が成形された導電性を有する金属板からなり、この金属板の一部をモールドして前記絶縁板を成形すると共に、前記金属板の所定箇所を打ち抜き加工して、前記ベースフレームの底部から前記コンタクトを個別に分離している（１）から（４）のいずれかに記載のカード用コネクタ。
【００３７】
（６）  前記金属板の一部をモールドして一組の前記可動板を成形すると共に、一組の前記可動板が前記ベースフレームの底部から傾斜支持されるように、前記金属板の一部を折り曲げ加工している、（５）記載のカード用コネクタ。
【発明の効果】
【００３８】
本発明によるカード用コネクタは、共通の接続端子を一方の面に配列し、板厚は同じであるが、外形が異なる２種類の第１カードと第２カードを共用できる。又、本発明によるカード用コネクタは、アダプタを使用しないので、アダプタの紛失、又はコンタクトの破損を防止できる。更に、本発明によるカード用コネクタは、開閉式のカード用コネクタであり、手差しタイプのカード用コネクタと比べて、カードの引き出し操作が容易である。
【図面の簡単な説明】
【００３９】
【図１】本発明の第１実施形態によるカード用コネクタの構成を示す斜視図であり、第１カバー板を開いた状態図である。
【図２】第１実施形態によるカード用コネクタの構成を示す斜視図であり、図２（Ａ）は、第１カバー板を開いた状態で、外形の小さい第１カードをベースフレームに配置した状態図であり、図２（Ｂ）は、第１カバー板を開いた状態で、外形の大きい第２カードを第１カバー板に収納した状態図である。
【図３】第１カードの斜視図であり、図３（Ａ）は、絶縁面を含む他方の面から第１カードを観た状態図、図３（Ｂ）は、端子面を含む一方の面から第１カードを観た状態図である。
【図４】第２カードの斜視図であり、図４（Ａ）は、絶縁面を含む他方の面から第２カードを観た状態図、図４（Ｂ）は、端子面を含む一方の面から第２カードを観た状態図である。
【図５】第１実施形態によるカード用コネクタの構成を示す図であり、図５（Ａ）は、第１カバー板を開いた状態でのカード用コネクタの平面図、図５（Ｂ）は、図５（Ａ）の右側面図、図５（Ｃ）は、図５（Ａ）の左側面図である。
【図６】第１実施形態によるカード用コネクタの構成を示す図であり、図６（Ａ）は、第１カバー板を開いた状態でのカード用コネクタの正面図、図６（Ｂ）は、図６（Ａ）の背面図、図６（Ｃ）は、図６（Ａ）の下面図である。
【図７】第１実施形態によるカード用コネクタの構成を示す図であり、図７（Ａ）は、第１カバー板を閉じた状態でのカード用コネクタの平面図、図７（Ｂ）は、図７（Ａ）の縦断面図である。
【図８】第１実施形態によるカード用コネクタの構成を示す縦断面図であり、第１カバー板を閉じて、第１カードがコンタクトに接続した状態図である。
【図９】第１実施形態によるカード用コネクタの構成を示す縦断面図であり、第１カバー板を閉じて、第２カードがコンタクトに接続した状態図である。
【図１０】第１実施形態によるカード用コネクタの構成を示す平面図であり、図１０（Ａ）は、絶縁板及び一組の可動板をモールド成形する前の状態図であり、図１０（Ｂ）は、絶縁板及び一組の可動板をモールド成形した状態図である。
【図１１】第１実施形態によるカード用コネクタの構成を示す斜視図であり、第１カバー板をベースフレームにロックする前の状態図である。
【図１２】第１実施形態によるカード用コネクタの構成を示す斜視図であり、第１カバー板をベースフレームにロックした状態図である。
【図１３】本発明の第２実施形態によるカード用コネクタの構成を示す斜視図であり、第２カバー板を開いた状態図である。
【図１４】第２実施形態によるカード用コネクタの構成を示す斜視図であり、図１４（Ａ）は、第２カバー板を開いた状態で、外形の小さい第１カードをベースフレームに配置した状態図であり、図１４（Ｂ）は、第２カバー板を開いた状態で、外形の大きい第２カードをベースフレームに配置した状態図である。
【図１５】第２実施形態によるカード用コネクタの構成を示す図であり、図１５（Ａ）は、第２カバー板を開いた状態でのカード用コネクタの平面図、図１５（Ｂ）は、図１５（Ａ）の右側面図である。
【図１６】第２実施形態によるカード用コネクタの構成を示す図であり、図１６（Ａ）は、第２カバー板を開くと共に、第２カードをベースフレームに配置した状態でのカード用コネクタの平面図、図１６（Ｂ）は、図１６（Ａ）の右側面図である。
【発明を実施するための形態】
【００４０】
以下、図面を参照して本発明を実施するための形態を説明する。
【００４１】
［第１実施形態］
（カード用コネクタの構成）
最初に、本発明の第１実施形態によるカード用コネクタの構成を説明する。図１は、本発明の第１実施形態によるカード用コネクタの構成を示す斜視図であり、第１カバー板を開いた状態図である。
【００４２】
図２は、第１実施形態によるカード用コネクタの構成を示す斜視図であり、図２（Ａ）は、第１カバー板を開いた状態で、外形の小さい第１カードをベースフレームに配置した状態図であり、図２（Ｂ）は、第１カバー板を開いた状態で、外形の大きい第２カードを第１カバー板に収納した状態図である。
【００４３】
図３は、第１カードの斜視図であり、図３（Ａ）は、絶縁面を含む他方の面から第１カードを観た状態図、図３（Ｂ）は、端子面を含む一方の面から第１カードを観た状態図である。図４は、第２カードの斜視図であり、図４（Ａ）は、絶縁面を含む他方の面から第２カードを観た状態図、図４（Ｂ）は、端子面を含む一方の面から第２カードを観た状態図である。
【００４４】
図５は、第１実施形態によるカード用コネクタの構成を示す図であり、図５（Ａ）は、第１カバー板を開いた状態でのカード用コネクタの平面図、図５（Ｂ）は、図５（Ａ）の右側面図、図５（Ｃ）は、図５（Ａ）の左側面図である。
【００４５】
図６は、第１実施形態によるカード用コネクタの構成を示す図であり、図６（Ａ）は、第１カバー板を開いた状態でのカード用コネクタの正面図、図６（Ｂ）は、図６（Ａ）の背面図、図６（Ｃ）は、図６（Ａ）の下面図である。
【００４６】
（全体構成）
図１を参照すると、本発明の第１実施形態によるカード用コネクタ（以下、コネクタと略称する）１０は、プリント基板９ｐの一方の面９１ｐに実装している。図１又は図２（Ａ）を参照すると、コネクタ１０は、外形の小さい第１カードＣ１を絶縁板３に載置した後に、第１カバー板２を閉じると、第１カードＣ１とプリント基板９ｐを電気的に接続できる。
【００４７】
一方、図１又は図２（Ｂ）を参照すると、コネクタ１０は、外形の大きい第２カードＣ２を第１カバー板２に収納した後に（図２（Ｂ）参照）、第１カバー板２を閉じると、第２カードＣ２とプリント基板９ｐを電気的に接続できる。
【００４８】
図１を参照して、コネクタ１０は、プリント基板９ｐの一方の面９１ｐに設けたコンタクトパッド（図示せず）にコンタクト４のリード部を重ねてハンダ接合する、表面実装形コネクタを示している。又、コネクタ１０は、第１カバー板２を開閉することで、第１カードＣ１又は第２カードＣ２をプリント基板９ｐに電気接続できる開閉式のカード用コネクタを示している。
【００４９】
図３を参照すると、第１カードＣ１は、ｍｉｃｒｏＳＩＭカードを示している。図３において、第１カードＣ１は、絶縁性のプラスチック筐体ｃｈ１の内部にＩＣチップ（図示せず）を収納している。このＩＣチップは、筐体ｃｈ１の一方の面に貼り付けられた複数の金属箔に接続されている。そして、複数に区画されたこの金属箔が第１カードＣ１の接続端子ｃｔとなっている。
【００５０】
一方、図４を参照すると、第２カードＣ２は、ｍｉｎｉＳＩＭカードを示している。図４に示した第２カードＣ２は、図３に示した第１カードＣ１と構造は同じである。又、第１カードＣ１と第２カードＣ２は、共通の接続端子ｃｔを一方の面に配列している。第１カードＣ１と第２カードＣ２は、板厚が同じになっているが、第１カードＣ１の筐体ｃｈ１に対して、第２カードＣ２の筐体ｃｈ２は、その外形が一回り大きくなっている。
【００５１】
図１又は図２及び図５又は図６を参照すると、コネクタ１０は、箱状のベースフレーム１と第１カバー板２を備えている。ベースフレーム１は、第１カードＣ１又は第２カードＣ２を導入可能に一方の面を開口している（図３又は図４参照）。第１カバー板２は、ベースフレーム１の一端部側と回転自在に連結し、ベースフレーム１の一方の面を開閉自在としている。又、第１カバー板２は、第２カードＣ２を他端部側から挿入して収納できる（図４参照）。
【００５２】
又、図１又は図２及び図５又は図６を参照すると、コネクタ１０は、矩形の絶縁板３、六つの片持ち状のコンタクト４、及び一組の可動板５１・５２を備えている。絶縁板３は、ベースフレーム１の底部に配置している。そして、絶縁板３には、少なくとも第１カードＣ１を載置できる。絶縁板３には、六つのコンタクト４を配列している。コンタクト４は、第１カードＣ１又は第２カードＣ２の接続端子ｃｔと電気接続できる（図３又は図４参照）。
【００５３】
図１又は図２及び図５又は図６を参照すると、一組の可動板５１・５２は、下降するように変位自在にベースフレーム１の底部と連結している。一組の可動板５１・５２は、絶縁板３の両端部を囲うように、絶縁板３を間にして配置されている。又、一組の可動板５１・５２は、略矩形の切り欠き５１ｋ・５２ｋを有している。これらの切り欠き５１ｋ・５２ｋは、第１カードＣ１を絶縁板３に載置すると、接続端子ｃｔとコンタクト４の位置関係を第１カードＣ１の外形から規定できる。
【００５４】
引き続き、第１実施形態によるコネクタの構成を説明する。図７は、第１実施形態によるカード用コネクタの構成を示す図であり、図６（Ａ）は、第１カバー板を開いた状態でのカード用コネクタの正面図、図６（Ｂ）は、図６（Ａ）の背面図、図６（Ｃ）は、図６（Ａ）の下面図である。
【００５５】
図７は、第１実施形態によるカード用コネクタの構成を示す図であり、図７（Ａ）は、第１カバー板を閉じた状態でのカード用コネクタの平面図、図７（Ｂ）は、図７（Ａ）の縦断面図である。
【００５６】
図８は、第１実施形態によるカード用コネクタの構成を示す縦断面図であり、第１カバー板を閉じて、第１カードがコンタクトに接続した状態図である。図９は、第１実施形態によるカード用コネクタの構成を示す縦断面図であり、第１カバー板を閉じて、第２カードがコンタクトに接続した状態図である。
【００５７】
図１０は、第１実施形態によるカード用コネクタの構成を示す平面図であり、図１０（Ａ）は、絶縁板及び一組の可動板をモールド成形する前の状態図であり、図１０（Ｂ）は、絶縁板及び一組の可動板をモールド成形した状態図である。
【００５８】
図１１は、第１実施形態によるカード用コネクタの構成を示す斜視図であり、第１カバー板をベースフレームにロックする前の状態図である。図１２は、第１実施形態によるカード用コネクタの構成を示す斜視図であり、第１カバー板をベースフレームにロックした状態図である。
【００５９】
（ベースフレームの構成）
次に、ベースフレームの構成を説明する。図１０を参照すると、ベースフレーム１は、展開された導電性を有する金属板１ｐの主面部１１の三方を直角に折り曲げた薄直方体の箱状に形成している。金属板１ｐの主面部１１は、ベースフレーム１の底部に相当している。主面部１１の両翼には、略平行に延びる一対の折り曲げ片１２・１２を形成している。
【００６０】
又、図１０を参照すると、ベースフレーム１は、主面部１１の一方の端部に折り曲げ片１３を形成している。図１を参照して、ベースフレーム１に対して第１カバー板２を開くと、後述する第１カバー板２の第１主面部２１の一方の端部を折り曲げ片１３に当接できる。そして、ベースフレーム１に対する第１カバー板２の最大開き角度を規定できる（図５（Ｂ）又は図５（Ｃ）参照）。
【００６１】
図１０を参照すると、一対の折り曲げ片１２・１２には、片持ち状の停止片１４・１４を形成している。これらの停止片１４・１４は、折り曲げ片１３に対向配置されている。図２（Ｂ）を参照して、第２カードＣ２を第１カバー板２に収納して、第１カバー板２を閉じた状態から、第１カバー板２をベースフレーム１の他方の端部に向かって移動すると、第２カードＣ２の先端縁の両端部が一対の停止片１４・１４に当接して、第２カードＣ２の必要以上の移動を阻止できる（図９を参照）。
【００６２】
更に、図２又は図７（Ａ）を参照すると、一対の折り曲げ片１２・１２は、長穴１２ｈと鉤状に切り欠かれた係止溝１２ｋを設けている。一対の長穴１２ｈ・１２ｈは、折り曲げ片１２の一方の端部に開口している。一方、図２を参照すると、第１カバー板２は、一対の回動軸２２ｓ・２２ｓを一方の端部に有している。一対の回動軸２２ｓ・２２ｓは、内部に突出するように、一対の第１側面部２２・２２の一方の端部に対向配置されている。一対の回動軸２２ｓ・２２ｓを長穴１２ｈ・１２ｈに嵌合することで、ベースフレーム１に対して、第１カバー板２を回動自在及び移動自在に連結できる。
【００６３】
図１又は図２を参照すると、一対の係止溝１２ｋ・１２ｋは、折り曲げ片１２の他方の端部に切り欠かれている。一方、第１カバー板２は、一対の係止片２２ｎ・２２ｎを第１側面部２２の他方の端部に設けている。一対の係止片２２ｎ・２２ｎは、互いに第１側面部２２の外側に屈折している。
【００６４】
図１又は図２に示した状態から第１カバー板２と閉じると、係止片２２ｎを係止溝１２ｋに導入できる（図１１参照）。図１１に示した状態から、ベースフレーム１に対して、第１カバー板２を他方の端部に向けて移動すると、係止片２２ｎを係止溝１２ｋに係止できる（図１２参照）。つまり、第１カバー板２をロックできる。図１２に示した状態から、ベースフレーム１に対して、第１カバー板２を一方の端部に向けて移動すると、係止片２２ｎと係止溝１２ｋの係合を解除でき、第１カバー板２を開くことができる。
【００６５】
（第１カバー板の構成）
次に、第１カバー板の構成を説明する。図１又は図２及び図５又は図６を参照すると、第１カバー板２は、展開板（図示せず）の第１主面部２１の両翼を直角に屈折した薄直方体の箱状に形成している。第１カバー板２を閉じた状態では、第１主面部２１は、ベースフレーム１の底面と対向している。第１主面部２１の両翼には、略平行に延びる一対の第１側面部２２・２２を形成している。第１側面部２２は、第１主面部２１の両翼に、断続して形成されている。
【００６６】
図１又は図２及び図５又は図６を参照すると、一対の第１側面部２２・２２は、第２カードＣ２の両側面をスライド自在に案内できる。又、一対の第１側面部２２・２２は、一対の保持片２２ａ・２２ａを設けている。一対の保持片２２ａ・２２ａは、互いに内側に屈折している。そして、一対の保持片２２ａ・２２ａは、第２カードＣ２の両翼を第２カードＣ２の一方の面側から保持できる。
【００６７】
図１又は図２及び図５又は図６を参照すると、一対の第１側面部２２・２２は、回動軸２２ｓと係止片２２ｎを有している。一対の回動軸２２ｓ・２２ｓを長穴１２ｈ・１２ｈに嵌合することで、ベースフレーム１に対して、第１カバー板２を回動自在及び移動自在に連結できる。係止片２２ｎは、係止溝１２ｋに係止できる（図１２参照）。
【００６８】
更に、図７（Ａ）を参照すると、第１主面部２１には、複数の窓２１ｗを開口しているので、窓２１ｗを介して、第２カードＣ２の有無を確認できる（図２参照）。第１主面部２１の表面又は裏面には、第２カードＣ２の挿入方向を案内する表示を設けている。又、第１主面部２１の表面には、第１カバー板２の係合方向又は解除方向を案内する表示を設けているので、便利である。
【００６９】
（絶縁板の構成）
次に、絶縁板の構成を説明する。図１から図３を参照すると、絶縁板３は、絶縁性を有する合成樹脂を成形している。絶縁板３の外形は、第１カードＣ１と略同じであることが好ましい。絶縁板３には、第１カードＣ１を載置できる（図８参照）。又、第１カバー板２に収納された第２カードＣ２を部分的に載置できる（図９参照）。そして、絶縁板３は、六つのコンタクト４を配列している。
【００７０】
図１０を参照して、絶縁板３は、金属板１ｐの主面部１１の一部をモールドして成形している。絶縁板３の中央部には、六つのコンタクト４を個別に分離するための窓３ｗを成形している（図１０（Ｂ）参照）。
【００７１】
（コンタクトの構成）
次に、コンタクトの構成を説明する。図１０を参照すると、コンタクト４は、展開板（図示せず）が成形された導電性を有する金属板１ｐからなり、金属板１ｐを打ち抜き加工又は折り曲げ加工して、導電性を有する片持ち状のベローズコンタクトを得ることができる。コンタクト４を成形する金属板１ｐは、加工の容易性や、ばね特性、導電性などを考慮すれば、銅合金が好ましく用いられるが、銅合金に限定される訳ではない。コンタクト４の接点には、金などで部分メッキしてもよい。
【００７２】
図１０（Ａ）を参照すると、六つのコンタクト４は、互いに繋がっているが、図１０（Ｂ）に示すように、金属板１ｐの主面部１１をモールドして絶縁板３を成形すると共に、絶縁板３の開口された窓３ｗを介して、金属板１ｐを適宜に打ち抜き加工することで、六つのコンタクト４を個別に分離できる。
【００７３】
図１又は図２を参照すると、コンタクト４は、その固定部が絶縁板３に固定されている。一方、コンタクト４の自由部は、絶縁板３に形成された窓に撓み自在に収納されている。コンタクト４の自由部の頂点は、接続端子ｃｔに接触可能な接点４ａを形成している（図７（Ｂ）参照）。
【００７４】
図６（Ｃ）を参照すると、コンタクト４は、絶縁板３の背面側に露出するリード部を有している。これらのリード部は、プリント基板９ｐの一方の面９１ｐにハンダ接合できる（図１参照）。つまり、コネクタ１０は、表面実装形のコネクタになっている。
【００７５】
（可動板の構成）
次に、可動板の構成を説明する。図１０（Ｂ）を参照すると、可動板５１は、絶縁性を有する合成樹脂を成形している。可動板５１は、一対のアーム部材５１ａ・５１ｂで片持ち支持されている。図１０（Ａ）を参照すると、一対のアーム部材５１ａ・５１ｂは、それらの先端部同士を連結部材５１ｃで結合している。
【００７６】
同様に、図１０（Ｂ）を参照すると、可動板５２は、絶縁性を有する合成樹脂を成形している。可動板５２は、一対のアーム部材５２ａ・５２ｂで片持ち支持されている。図１０（Ａ）を参照すると、一対のアーム部材５２ａ・５２ｂは、それらの先端部同士を連結部材５２ｃで結合している。
【００７７】
図１０（Ａ）を参照して、一対のアーム部材５１ａ・５１ｂの一部を含む連結部材５１ｃをモールドすることで、可動板５１を成形している。そして、可動板５１がベースフレーム１の底部から傾斜支持されるように、一対のアーム部材５１ａ・５１ｂの基端部を折り曲げ加工している（図８参照）。
【００７８】
同様に、図１０（Ａ）を参照して、一対のアーム部材５２ａ・５２ｂの一部を含む連結部材５２ｃをモールドすることで、可動板５２を成形している。そして、可動板５２がベースフレーム１の底部から傾斜支持されるように、一対のアーム部材５２ａ・５２ｂの基端部を折り曲げ加工している（図８参照）。
【００７９】
（カード用コネクタの作用）
次に、第１実施形態によるコネクタ１０の動作を説明しながら、コネクタ１０の作用及び効果を説明する。
【００８０】
（第１カードとの接続）
図１を参照して、第１カバー板２を開いた状態で、ベースフレーム１の上方から絶縁板３に向けて、第１カードＣ１を絶縁板３に載置する（図２参照）。図２に示した状態では、一組の可動板５１・５２は、第１カードＣ１の接続端子ｃｔとコンタクト４の位置関係を第１カードＣ１の外形から規定している。
【００８１】
次に、図７又は図８及び図１１に示すように、第１カバー板２を閉じた状態では、第１カードＣ１の接続端子ｃｔがコンタクト４を押圧することで（図８参照）、コンタクト４を介して、第１カードＣ１とプリント基板９ｐを電気的に接続できる（図１参照）。
【００８２】
次に、図１１に示した状態から、ベースフレーム１に対して、第１カバー板２を他方の端部に向けて移動すると、係止片２２ｎを係止溝１２ｋに係止できる（図１２参照）。つまり、第１カバー板２をロックできる。図１２に示した状態から、ベースフレーム１に対して、第１カバー板２を一方の端部に向けて移動すると、係止片２２ｎと係止溝１２ｋの係合を解除して、第１カバー板２を開くことができ、第１カードＣ１をベースフレーム１から取り出すことができる（図１参照）。
【００８３】
（第２カードとの接続）
図１を参照して、第１カバー板２を開いた状態で、第２カードＣ２を第１カバー板２の他端部側から挿入して、第２カードＣ２を第１カバー板２に収納する（図３参照）。次に、図７又は図９及び図１１に示すように、第１カバー板２を閉じた状態では、一組の可動板５１・５２に抗して、第２カードＣ２の接続端子ｃｔがコンタクト４を押圧することで（図９参照）、コンタクト４を介して、第２カードＣ２とプリント基板９ｐを電気的に接続できる（図１参照）。
【００８４】
次に、図１１に示した状態から、ベースフレーム１に対して、第１カバー板２を他方の端部に向けて移動すると、係止片２２ｎを係止溝１２ｋに係止できる（図１２参照）。つまり、第１カバー板２をロックできる。図１２に示した状態から、ベースフレーム１に対して、第１カバー板２を一方の端部に向けて移動すると、係止片２２ｎと係止溝１２ｋの係合を解除して、第１カバー板２を開くことができ、第２カードＣ２を第１カバー板２から取り出すことができる（図１参照）。
【００８５】
このように、第１実施形態によるコネクタ１０は、共通の接続端子ｃｔを一方の面に配列し、板厚は同じであるが、外形が異なる２種類の第１カードＣ１と第２カードＣ２を共用できる。又、実施形態によるコネクタ１０は、アダプタを使用しないので、アダプタの紛失、又はコンタクトの破損を防止できる。更に、第１実施形態によるコネクタ１０は、開閉式のカード用コネクタであり、手差しタイプのカード用コネクタと比べて、カードの引き出し操作が容易である。
【００８６】
［第２実施形態］
（カード用コネクタの構成）
次に、本発明の第２実施形態によるカード用コネクタの構成を説明する。図１３は、本発明の第２実施形態によるカード用コネクタの構成を示す斜視図であり、第２カバー板を開いた状態図である。
【００８７】
図１４は、第２実施形態によるカード用コネクタの構成を示す斜視図であり、図１４（Ａ）は、第２カバー板を開いた状態で、外形の小さい第１カードをベースフレームに配置した状態図であり、図１４（Ｂ）は、第２カバー板を開いた状態で、外形の大きい第２カードをベースフレームに配置した状態図である。
【００８８】
図１５は、第２実施形態によるカード用コネクタの構成を示す図であり、図１５（Ａ）は、第２カバー板を開いた状態でのカード用コネクタの平面図、図１５（Ｂ）は、図１５（Ａ）の右側面図である。
【００８９】
図１５は、第２実施形態によるカード用コネクタの構成を示す図であり、図１６（Ａ）は、第２カバー板を開くと共に、第２カードをベースフレームに配置した状態でのカード用コネクタの平面図、図１６（Ｂ）は、図１６（Ａ）の右側面図である。
【００９０】
なお、第２実施形態によるカード用コネクタは、第１実施形態によるカード用コネクタに備わる第１カバー板を第２カバー板に変えたものであるので、第１実施形態と同じ構成品はその説明を省略すると共に、第１実施形態に用いた図面を援用することがある。
【００９１】
（全体構成）
図１３を参照すると、本発明の第２実施形態によるカード用コネクタ（以下、コネクタと略称する）２０は、プリント基板９ｐの一方の面９１ｐに実装している。図１３（Ａ）を参照すると、コネクタ２０は、外形の小さい第１カードＣ１を絶縁板３に載置した後に、第１カバー板２を閉じると、第１カードＣ１とプリント基板９ｐを電気的に接続できる。
【００９２】
一方、図１３又は図１４（Ｂ）を参照すると、コネクタ２０は、外形の大きい第２カードＣ２をベースフレーム１の一方の面に導入した後に（図１４（Ｂ）参照）、第１カバー板２を閉じると、第２カードＣ２とプリント基板９ｐを電気的に接続できる。
【００９３】
図１３又は図１４を参照すると、コネクタ２０は、箱状のベースフレーム１と第２カバー板６を備えている。ベースフレーム１は、第１カードＣ１又は第２カードＣ２を導入可能に一方の面を開口している（図３又は図４参照）。第２カバー板６は、ベースフレーム１の一端部側と回転自在に連結し、ベースフレーム１の一方の面を開閉自在としている。
【００９４】
又、図１３を参照すると、コネクタ２０は、矩形の絶縁板３、六つの片持ち状のコンタクト４、及び一組の可動板５１・５２を備えている。絶縁板３は、ベースフレーム１の底部に配置している。そして、絶縁板３には、少なくとも第１カードＣ１を載置できる。絶縁板３には、六つのコンタクト４を配列している。コンタクト４は、第１カードＣ１又は第２カードＣ２の接続端子ｃｔと電気接続できる（図３又は図４参照）。
【００９５】
図１３を参照すると、一組の可動板５１・５２は、下降するように変位自在にベースフレーム１の底部と連結している。一組の可動板５１・５２は、絶縁板３の両端部を囲うように、絶縁板３を間にして配置されている。又、一組の可動板５１・５２は、略矩形の切り欠き５１ｋ・５２ｋを有している。これらの切り欠き５１ｋ・５２ｋは、第１カードＣ１を絶縁板３に載置すると、接続端子ｃｔとコンタクト４の位置関係を第１カードＣ１の外形から規定できる。
【００９６】
又、図１０を援用すると共に図１４を参照すると、ベースフレーム１は、主面部１１の一方の端部に折り曲げ片１３を形成している。図１３を参照して、ベースフレーム１に対して第２カバー板６を開くと、後述する第２カバー板６の第２主面部６１の一方の端部を折り曲げ片１３に当接できる。そして、ベースフレーム１に対する第２カバー板６の最大開き角度を規定できる（図１５（Ｂ）参照）。
【００９７】
図１０を参照すると、一対の折り曲げ片１２・１２には、片持ち状の停止片１４・１４を形成している。これらの停止片１４・１４は、折り曲げ片１３に対向配置されている。図１４（Ｂ）又は図１５を参照して、第２カードＣ２をベースフレーム１に導入して、第２カバー板６を閉じた状態から（図９を援用）、第１カバー板２をベースフレーム１の他方の端部に向かって移動すると、第２カードＣ２の先端縁の両端部が一対の停止片１４・１４に当接して、第２カードＣ２の必要以上の移動を阻止できる。
【００９８】
更に、図１３又は図１４（Ａ）を参照すると、一対の折り曲げ片１２・１２は、長穴１２ｈと鉤状に切り欠かれた係止溝１２ｋを設けている。一対の長穴１２ｈ・１２ｈは、折り曲げ片１２の一方の端部に開口している。一方、図１３を参照すると、第２カバー板６は、一対の回動軸６２ｓ・６２ｓを一方の端部に有している。一対の回動軸６２ｓ・６２ｓは、内部に突出するように、一対の第２側面部６２・６２の一方の端部に対向配置されている。一対の回動軸６２ｓ・６２ｓを長穴１２ｈ・１２ｈに嵌合することで、ベースフレーム１に対して、第２カバー板６を回動自在及び移動自在に連結できる。
【００９９】
図１３又は図１４（Ａ）を参照すると、一対の係止溝１２ｋ・１２ｋは、折り曲げ片１２の他方の端部に切り欠かれている。一方、第２カバー板６は、一対の係止片６２ｎ・６２ｎを第１側面部２２の他方の端部に設けている。一対の係止片６２ｎ・６２ｎは、互いに第２側面部６２の外側に屈折している。
【０１００】
図１３又は図１４に示した状態から第２カバー板６と閉じると、係止片６２ｎを係止溝１２ｋに導入できる。図１１を援用した状態から、ベースフレーム１に対して、第２カバー板６を他方の端部に向けて移動すると、係止片６２ｎを係止溝１２ｋに係止できる。つまり、第２カバー板６をロックできる。図１２を援用した状態から、ベースフレーム１に対して、第２カバー板６を一方の端部に向けて移動すると、係止片６２ｎと係止溝１２ｋの係合を解除でき、第２カバー板６を開くことができる。
【０１０１】
（第２カバー板の構成）
次に、第２カバー板の構成を説明する。図１３から図１６を参照すると、第２カバー板６は、展開板（図示せず）の第２主面部６１の両翼を直角に屈折した薄直方体の箱状に形成している。第２カバー板６を閉じた状態では、第２主面部６１は、ベースフレーム１の底面と対向している。第２主面部６１の両翼には、略平行に延びる一対の第２側面部６２・６２を形成している。第２側面部６２は、第２主面部６１の両翼に、断続して形成されている。
【０１０２】
図１４（Ｂ）又は図１６を参照すると、第２カードＣ２をベースフレーム１に載置して第２カバー板６を閉じると、一対の第２側面部６２・６２は、第２カードＣ２の他方の面から第２カードＣ２の両側面に進入できる。そして、一対の第２側面部６２・６２は、第２カードＣ２の両翼を第２カードＣ２の他方の面側から保持できる。
【０１０３】
図１３から図１６を参照すると、一対の第２側面部６２・６２は、回動軸６２ｓと係止片６２ｎを有している。一対の回動軸６２ｓ・６２ｓを長穴１２ｈ・１２ｈに嵌合することで、ベースフレーム１に対して、第２カバー板６を回動自在及び移動自在に連結できる。係止片６２ｎは、係止溝１２ｋに係止できる（図１３参照）。
【０１０４】
（カード用コネクタの作用）
次に、第２実施形態によるコネクタ２０の動作を説明しながら、コネクタ２０の作用及び効果を説明する。
【０１０５】
（第１カードとの接続）
図１３を参照して、第２カバー板６を開いた状態で、ベースフレーム１の上方から絶縁板３に向けて、第１カードＣ１を絶縁板３に載置する（図１４参照）。図１４に示した状態では、一組の可動板５１・５２は、第１カードＣ１の接続端子ｃｔとコンタクト４の位置関係を第１カードＣ１の外形から規定している。
【０１０６】
次に、図８を援用すると、第２カバー板６を閉じた状態では、第１カードＣ１の接続端子ｃｔがコンタクト４を押圧することで、コンタクト４を介して、第１カードＣ１とプリント基板９ｐを電気的に接続できる（図１１３参照）。
【０１０７】
次に、図１１を援用して、ベースフレーム１に対して、第２カバー板６を他方の端部に向けて移動すると、係止片６２ｎを係止溝１２ｋに係止できる（図１３参照）。つまり、第２カバー板６をロックできる。図１２を援用した状態から、ベースフレーム１に対して、第２カバー板６を一方の端部に向けて移動すると、係止片６２ｎと係止溝１２ｋの係合を解除して、第２カバー板６を開くことができ、第１カードＣ１をベースフレーム１から取り出すことができる（図１３参照）。
【０１０８】
（第２カードとの接続）
図１３を参照して、第２カバー板６を開いた状態で、第２カードＣ２をベースフレーム１の一方の面に導入する（図１６参照）。次に、図９を援用すると、第２カバー板６を閉じた状態では、一組の可動板５１・５２に抗して、第２カードＣ２の接続端子ｃｔがコンタクト４を押圧することで、コンタクト４を介して、第２カードＣ２とプリント基板９ｐを電気的に接続できる（図１３参照）。
【０１０９】
次に、図１１を援用して、ベースフレーム１に対して、第２カバー板６を他方の端部に向けて移動すると、係止片６２ｎを係止溝１２ｋに係止できる（図１３参照）。つまり、第２カバー板６をロックできる。図１２を援用した状態から、ベースフレーム１に対して、第２カバー板６を一方の端部に向けて移動すると、係止片６２ｎと係止溝１２ｋの係合を解除して、第２カバー板６を開くことができ、第２カードＣ２をベースフレーム１から取り出すことができる（図１３参照）。
【０１１０】
このように、第２実施形態によるコネクタ２０は、第１実施形態によるコネクタ１０と同様の効果を奏するが、第１実施形態によるコネクタ１０が第２カードＣ２を第１カバー板２に収納するのに対し、第２実施形態によるコネクタ２０は、第２カードＣ２をベースフレーム１に載置して、第２カバー板６で押圧するという、構成と手順の違いがある。
【０１１１】
本発明によるカード用コネクタは、ｍｉｎｉＳＩＭカードとｍｉｃｒｏＳＩＭカードを共用可能なカード用コネクタを開示したが、本発明によるカード用コネクタは、実施形態に限定されない。本発明による技術的思想を応用すれば、ｍｉｃｒｏＳＩＭカードとｍｉｃｒｏＳＩＭカードより小型のｎａｎｏＳＩＭカードの共用も可能である。
【符号の説明】
【０１１２】
１  ベースフレーム
２  第１カバー板
３  絶縁板
４  コンタクト
１０  コネクタ（カード用コネクタ）
２１  第１主面部
２２・２２  一対の第１側面部
２２ａ・２２ａ  一対の保持片
５１・５２  一組の可動板
５１ｋ・５２ｋ  一組の切り欠き
Ｃ１  第１カード（外形の小さい第１カード）
Ｃ２  第２カード（外形の大きい第２カード）
ｃｔ  接続端子
【図１】
2015207370.tif 000003
【図２】
2015207370.tif 000004
【図３】
2015207370.tif 000005
【図４】
2015207370.tif 000006
【図５】
2015207370.tif 000007
【図６】
2015207370.tif 000008
【図７】
2015207370.tif 000009
【図８】
2015207370.tif 000010
【図９】
2015207370.tif 000011
【図１０】
2015207370.tif 000012
【図１１】
2015207370.tif 000013
【図１２】
2015207370.tif 000014
【図１３】
2015207370.tif 000015
【図１４】
2015207370.tif 000016
【図１５】
2015207370.tif 000017
【図１６】
2015207370.tif 000018